(57)【要約】      （修正有）【課題】使用している装飾体とは異なる装飾体の使用を希望する場合であっても、別途に装身具を用意する必要のない装身具等を提供する。【解決手段】ピンズ１ａ、ラペルピン、チェーン付きダブルピンズ、ネクタイピン、カフス等の装身具本体１と、装飾体２とを有する装身具１００において、装身具本体１は第１の係合部１１を備えており、装飾体２は第１の係合部１１に係脱可能な第２の係合部２０を備えている。【選択図】図１
0003227766.tif 000002
【実用新案登録請求の範囲】
【請求項１】
装身具本体と装飾体とを有する装身具において、
装身具本体は第１の係合部を備え、装飾体は前記第１の係合部に係脱可能な第２の係合部を備えたことを特徴とする装身具。
【請求項２】
装身具本体は、その外面に台座を備え、該台座上に前記第１の係合部を備えたことを特徴とする請求項１に記載の装身具。
【請求項３】
装身具本体は、その外面に直接前記第１の係合部を備えたことを特徴とする請求項１に記載の装身具。
【請求項４】
前記装身具本体がピンズである請求項１〜３のいずれか１項に記載の装身具。
【請求項５】
前記装身具本体がラペルピンである請求項１〜３のいずれか１項に記載の装身具。
【請求項６】
前記装身具本体がチェーン付きダブルピンズである請求項１〜３のいずれか１項に記載の装身具。
【請求項７】
前記装身具本体がネクタイピンである請求項１〜３のいずれか１項に記載の装身具。
【請求項８】
前記装身具本体がカフスである請求項１〜３のいずれかに記載の装身具。
【請求項９】
請求項４〜請求項７に記載の装身具から選択される複数の装身具を一組とした装身具セットであって、
前記一組とされた複数の装身具のうち、一の装身具の装飾体と、他の一の装身具の装飾体とを、相互に入れ替えてそれぞれの装身具本体と係脱可能としたことを特徴とする装身具セット。
【請求項１０】
請求項４〜請求項８に記載の装身具から選択される複数の装身具を一組とした装身具セットに対して、前記装身具セットのそれぞれの装飾体と入れ替えて前記装身具セットのそれぞれの装身具本体に係脱可能となる一組の装飾体からなる装飾体セット。
【考案の詳細な説明】
【技術分野】
【０００１】
本考案は、ピンズ、ラペルピン、チェーン付きダブルピンズ、ネクタイピン、カフス等を備える装身具に関し、特には、装飾体を備えた装身具に関する。
【背景技術】
【０００２】
従来、装身具本体（即ち、ピンズ、ラペルピン、チェーン付きダブルピンズ、ネクタイピン、カフス等における本体部分）に、装飾体を直接固着してなる装身具が公知である。
【考案の概要】
【考案が解決しようとする課題】
【０００３】
上記に例示したような装身具は、装飾体による意匠性を発揮できる。しかしながら、異なる装飾体の使用を希望する場合には、異なる装飾体を有する装身具を別途用意する必要があった。
また、例えばカフスとネクタイピンというように複数種類の装身具を着用する場合には、それぞれの装身具の装飾体による意匠性を得ることができるが、この場合においても、異なる装飾体の使用を希望する場合には、異なる装飾体を有する装身具を別途用意する必要があった。
【０００４】
本考案は以上の事情に鑑みてなされたものであり、異なる装飾体の使用を希望する場合であっても別途に新たな装身具を用意する必要のない装身具等の提供を、考案が解決しようとする課題とする。
【０００５】
また、上記課題を解決するに際しては、十分な品質が確保されることが必要であることから、外部からの衝撃に強く、装飾体の不用意な脱落を抑止できる構造を有する装身具等の提供を考案が解決しようとする課題とする。
【課題を解決するための手段】
【０００６】
本考案は、装身具本体と装飾体とを有する装身具において、装身具本体は第１の係合部を備え、装飾体は前記第１の係合部に係脱可能な第２の係合部を備えたことを特徴とする装身具を、上記課題を解決するための手段とする。
【０００７】
また本考案は、上記考案の構成を前提として、装身具本体は、その外面に台座を備え、該台座上に前記第１の係合部を備えたことを特徴とする装身具を、上記課題を解決するための手段とする。
【０００８】
また本考案は、上記基本となる考案の構成を前提として、装身具本体は、その外面に直接前記第１の係合部を備えたことを特徴とする装身具を、上記課題を解決するための手段とする。
【０００９】
また本考案は、上記装身具本体が、ピンズ、ラペルピン、チェーン付きダブルピンズ、ネクタイピンである装身具から選択される複数の装身具を一組とした装身具セットであって、前記一組のうち、一の装身具の装飾体と、他の一の装身具の装飾体とを、相互に入れ替えてそれぞれの装身具本体と係脱可能としたことを特徴とする装身具セットを、上記課題を解決するための手段とする。
【００１０】
また本考案は、上記装身具本体が、ピンズ、ラペルピン、チェーン付きダブルピンズ、ネクタイピン、カフスである装身具から選択される複数の装身具を一組とした装身具セットに対して、前記装身具セットのそれぞれの装飾体と入れ替えて前記装身具セットのそれぞれの装身具本体に係脱可能となる一組の装飾体からなる装飾体セットを、上記課題を解決するための手段とする。
【考案の効果】
【００１１】
本考案によれば、装身具本体と装飾体とを有する装身具において、装身具本体は第１の係合部を備え、装飾体は前記第１の係合部に係脱可能な第２の係合部を備えたことから、装飾体の第２の係合部を装身具本体の第１の係合部から脱着し、他の装飾体における第２の係合部を前記装身具本体の第１の係合部に取着することで、装飾体を交換することができる。これによって、装身具全体を新たに用意することなく、異なる意匠性を得ることができる。
【００１２】
また、上記構成に加えて、装身具本体は、その外面に台座を備え、該台座上に前記第１の係合部を備えたことによっては、上記考案の作用効果を奏するほか、第１の係合部が外部からの衝撃等から保護され、装飾体の脱落等を抑止し、品質の高い装身具を提供することができる。
【００１３】
また、上記基本となる考案の構成に加えて、装身具本体は、その外面に直接前記第１の係合部を備えたことによっては、上記いずれかの考案の作用効果を奏する上に、当該作用効果を、コンパクトで廉価に実現することができる。
【００１４】
また、上記装身具本体が、ピンズ、ラペルピン、チェーン付きダブルピンズ、ネクタイピンである装身具から選択される複数の装身具を一組とした装身具セットであって、
前記一組とされた複数の装身具のうち、一の装身具の装飾体と、他の一の装身具の装飾体とを、相互に入れ替えてそれぞれの装身具本体と係脱可能としたことによっては、上記いずれかの考案の作用効果を奏する上に、着用する場所に対してデザインを変更することができ、着用時のバリエーションを増加させることができる。
【００１５】
また、上記装身具本体が、ピンズ、ラペルピン、チェーン付きダブルピンズ、ネクタイピン、カフスである装身具から選択される複数の装身具を一組とした装身具セットに対して、前記装身具セットのそれぞれの装飾体と入れ替えて前記装身具セットのそれぞれの装身具本体に係脱可能となる一組の装飾体セットは、前記装身具セットに対して、各装飾体を入れ替えることで、Ｔ．Ｐ．Ｏ．（時、場所、場合）に応じたデザインの変更を行うことができる。
【図面の簡単な説明】
【００１６】
【図１】本考案の実施例１に係る台座付きの装身具（ピンズ）を示す（ａ）正面図、（ｂ）平面図、（ｃ）Ａ−Ａ断面図、（ｄ）装身具本体と装飾体を分離した状態を示す断面図である。
【図２】本考案の実施例２に係る台座なしの装身具（ピンズ）を示す（ａ）正面図、（ｂ）平面図、（ｃ）Ｂ−Ｂ断面図、（ｄ）装身具本体と装飾体とを分離した状態を示す断面図である。
【図３】本考案の実施例３に係る台座付きの装身具（ラペルピン）を示す（ａ）正面図、（ｂ）一部断面とした左側面図、（ｃ）装身具本体と装飾体を分離した状態を示す一部断面とした左側面図、他の形状の軸を備えた一部断面とした左側面である。
【図４】本考案の実施例４に係る台座なしの装身具（ラペルピン）を示す（ａ）正面図、（ｂ）装身具本体と装飾体とを分離した状態を示す正面図である。
【図５】本考案の実施例５に係る台座なしの装身具（ネクタイピン）を示す（ａ）正面図、（ｂ）底面図、（ｃ）一部断面とした底面図、（ｄ）装身具本体と装飾体を分離した状態を示す一部断面とした底面図である。
【図６】本考案の実施例６に係る台座付きの装身具（ネクタイピン）を示す（ａ）正面図、（ｂ）底面図、（ｃ）一部断面とした底面図、（ｄ）装身具本体と装飾体を分離した状態を示す一部断面とした底面図である。
【図７】本考案の実施例７に係る台座なしの装身具（カフス）を示す（ａ）正面図、（ｂ）底面図、（ｃ）右側面図、（ｄ）装身具本体と装飾体とを分離した状態を示すＣ−Ｃ断面図である。
【図８】本考案の実施例８に係る台座付きの装身具（チェーン付きダブルピンズ）を示す（ａ）正面図、（ｂ）Ｄ−Ｄ端面図である。
【図９】（ａ）本考案の実施例に係る装身具セットにおける相互の装飾体を入れ替える状態を示す説明図、（ｂ）本考案の実施例に係る装身具セットにおける装飾体を、他の装飾体セットに入れ替える状態を示す説明図である。
【考案を実施するための形態】
【００１７】
以下に本考案の実施例について説明する。尚、本考案は、以下の実施例に限定されるものではなく、本考案の開示する技術的思想の範囲内において、種々の変形、設計変更等がされた形状等に及ぶ。
【実施例１】
【００１８】
本考案の実施例１に係る装身具１００（１００ａ）は、図１に示すように、装身具本体１（ピンズ１ａ）と装飾体２と止具１８とを有する。止具１８は、装身具本体１を固定するためのものである（図１（ｂ）、（ｃ）、（ｄ）参照。）。
装身具本体１は、ピン１４ａ及び小突起１９を有する台座１０と、該台座１０に取着される雄係合部１１（第１の係合部）とを有する。
装飾体２は、雌係合部２０（第２の係合部）と該雌係合部２０を被覆する装飾部２１とから構成される。装飾部２１は雌係合部２０のうち雌係合子２２を有する面を除いて被覆している。本実施例１における装飾体２は、くるみボタンである。
雄係合子１３を有する雄係合部１１と、雌係合子２２を有する雌係合部２０は着脱可能である。雄係合部１１と雌係合部２０を係着した状態において、本実施例に係る装身具１００（１００ａ）が構成される。
ピンと止具とで生地を挟み込むとともに、小突起１９で生地を押さえることにより、衣服に安定して固定できるものである。
雌係合部２０と互換性を有する他の雌係合部を有する装飾体２を用いることで、装身具本体１に対して、異なる意匠性を発揮する装飾体２を取着することができる。
【実施例２】
【００１９】
本考案の実施例２に係る装身具１００（１００ｂ）は、図２に示すように、装身具本体１（ピンズ１ｂ）と装飾体２と止具１８とを有する。止具１８は、装身具本体１を固定するためのものである（図２（ｂ）（ｃ）（ｄ）参照。）。
装身具本体１は、ピン１４ｂと、該ピン１４ｂに接続される雄係合部１１とからなる。
装飾体２は、雌係合子２２を有する雌係合部２０と、該雌係合部２０と固着される金属板からなる装飾部２１とから構成される。
雄係合部１１と雌係合部２０は着脱可能である。雄係合子１１と雌係合部２０とを係着した状態において、本実施例に係る装身具１００（１００ｂ）が構成される。
【実施例３】
【００２０】
本考案の実施例３に係る装身具１００（１００ｃ）は、図３（ａ）から（ｃ）に示すように、装身具本体１（ラペルピン１ｃ）と装飾体２とから構成される。
装身具本体１は、軸１４ｃを有する台座１０と、該台座１０に取着される雄係合部１１とを有する。軸は台座１０の側面の一部に固着されている。
装飾体２は、雌係合部２０と該雌係合部２０を被覆する装飾部２１とから構成される。装飾部２１は雌係合部２０のうち雌係合子２２を有する面を除いて被覆している。本実施例２に係る装飾体２はくるみボタンである。
雄係合部１１と雌係合部２０は着脱可能である。雄係合部１１と雌係合部２０を係着した状態において、本実施例に係る装身具１００（１００ｃ）が構成される。
尚、図３（ｄ）は本考案の実施例２に係る装身具について、軸の先端を屈曲させ、台座１０の背面中央に固着した構成を示すものである。
【実施例４】
【００２１】
本考案の実施例４に係る装身具１００（１００ｄ）は、図４に示すように、装身具本体１（ラベルピン１ｄ）と装飾体２とから構成される。
装身具本体１は、軸１４ｄを有する雄係合部１１からなる。軸１４ｄは、雄係合部１１の下面中央に固着され、雄係合子１３が上方に向けて配置される。
装飾体２は、雌係合部２０と、該雌係合部２０と固着される金属板からなる装飾部２１とから構成される。
雄係合部１１と雌係合部２０は着脱可能である。雄係合部１１と雌係合部２０を係着した状態において、本実施例に係る装身具１００（１００ｄ）が構成される。
【実施例５】
【００２２】
本考案の実施例５に係る装身具１００（１００ｅ）は、図５に示すように、装身具本体１（ネクタイピン１ｅ）と装飾体２とから構成される。
装身具本体１は、ネクタイピン本体１４ｅと該ネクタイピン本体１４ｅの外面に取着される雄係合部１１とを有する。
装飾体２は、雌係合部２０と該雌係合部２０を被覆する装飾部２１とから構成される。
装飾部２１は雌係合部２０のうち雌係合子２２を有する面を除いて被覆している。本実施例５における装飾体２は、くるみボタンである。
雄係合部１１と雌係合部２０は着脱可能である。雄係合部１１と雌係合部２０を係着した状態において、本実施例に係る装身具１００（１００ｅ）が構成される。
【実施例６】
【００２３】
本考案の実施例６に係る装身具１００（１００ｆ）は、図６に示すように、装身具本体１（ネクタイピン１ｆ）と装飾体とから構成される。
装飾体本体１は、ネクタイピン本体１４ｆと該ネクタイピン本体１４の外面に取着される台座１０と、該台座１０に取着される雄係合部１１とを有する。
本実施例６に係る装飾体２は、くるみボタンである。
雄係合部１１と雌係合部２０は着脱可能である。雄係合部１１と雌係合部２０を係着した状態において、本実施例に係る装身具１００（１００ｅ）が構成される。
【実施例７】
【００２４】
本考案の実施例７に係る装身具１００（１００ｇ）は、図７に示すように、装身具本体１（カフス１ｇ）と装飾体２とから構成される。
装身具本体１は、カフス本体１４ｇと該カフス本体１４ｇの外面に取着される雄係合部１１とを有する。
装飾体２は、雌係合部２０と該雌係合部２０を被覆する装飾部２１とから構成される。
装飾部２１は雌係合部２０のうち雌係合子２２を有する面を除いて被覆している。本実施例４における装飾体２は、くるみボタンである。
雄係合部１１と雌係合部２０は着脱可能である。雄係合部１１と雌係合部２０を係着した状態において、本実施例に係る装身具１００（１００ｇ）が構成される。
【実施例８】
【００２５】
本考案の実施例８に係る装身具１００（１００ｈ）は、図８に示すように、装身具本体１（チェーン付きダブルピンズ１ｈ）と装飾体２と、止具１８を有し、ピンズ１５を二つ一組として、相互のピンズ１５、１５間にチェーン１６を設けたものである。止具１８は、装身具本体１を固定するためのものである。一方のピンズ１５のみが装身具本体１に対して装飾体２が着脱可能である。
【００２６】
装身具本体１は、ピン１４ｈを有する台座１０と、該台座１０に取着される雄係合部１１とを有する。台座１０は側縁にチェーン接続部１７を有している。
装飾体２は、雌係合部２０と該雌係合部２０を被覆する装飾部２１とから構成される。
装飾部２１は雌係合部２０のうち雌係合子２２を有する面を除いて被覆している。本実施例５における装飾体２は、くるみボタンである。
雄係合部１１と雌係合部２０は着脱可能である。雄係合部１１と雌係合部２０を係着した状態において、本実施例に係る装身具１００（１００ｅ）が構成される。
【００２７】
本考案においては、例えば、上記各実施例に係る装身具を適宜組み合わせてセットとすることができる。このように装身具を適宜組み合わせてセットとした場合において、装身具相互の装飾体を入れ替え可能とすることができる。一例として、図９（ａ）に、ネクタイピン１ｅの装身具１００（図５参照。）とピンズ１ｂの装身具１００（図２参照。）を組み合わせてセットとした例を示す。ネクタイピン１ｅの装身具１００における元の装飾体２をピンズ１ｂの装身具１００における新たな装飾体２とし、ピンズ１ｂの装身具１００における元の装飾体２をネクタイピン１ｅの装身具１００の新たな装飾体とすることができる。
尚、本考案においては、組み合わせてセットとする物品は、上記各実施例に係るものに限るものではない。
【００２８】
また本考案においては、上記装身具１００を適宜組み合わせてセットとしたものにおける各装飾体２、２・・・と入れ替えて、前記装身具１００のセットのそれぞれの装身具本体１、１・・・に係脱可能となる一組の装飾体セット３を用いることができる。例えば、図９（ｂ）に示すように、ネクタイピンの装身具１００とカフスの装身具の各装飾体１００を、共通のデザインとしておき、これを新たなデザインの一組の装飾体セット３に入れ替えることができる。
一組の装飾体セットを、冠婚葬祭用のデザインとした装飾体セットとし、一般ビジネス向けのデザインとした装身具１００のセットの各装飾体２、２・・・と入れ替える等、種々の装飾体セットを用意しておくことで、Ｔ．Ｐ．Ｏ．に応じたデザインの変更を行うことができる。
【００２９】
尚、本考案は、上記実施例に限定されるものではなく、例えば、雄係合部と雌係合部とを入れ替えて構成することも可能である。上記実施例では台座を有しないものに、台座を設けることもできるし、台座を有するものについて台座を設けない構成とすることもできる。また、雄係合部、雌係合部は、金属製であってもよいし、合成樹脂製であってもよい。また、本考案における部材間の固着は、接着、溶着等公知の種々の固着方法を用いることができる。
【符号の説明】
【００３０】
１００      装身具
１００ａ    ピンズの装身具
１００ｂ    ピンズの装身具
１００ｃ    ラペルピンの装身具
１００ｄ    ラベルピンの装身具
１００ｅ    ネクタイピンの装身具
１００ｆ    ネクタイピンの装身具
１００ｇ    カフスの装身具
１００ｈ    チェーン付きダブルピンズの装身具
１          装身具本体
１ａ        ピンズ
１ｂ        ピンズ
１ｃ        ラペルピン
１ｄ        ラペルピン
１ｅ        ネクタイピン
１ｆ        ネクタイピン
１ｇ        カフス
１ｈ        チェーン付きダブルピンズ
１０        台座
１１        雄係合部
１３        雄係合子
１４ａ      ピン
１４ｂ      ピン
１４ｃ      軸
１４ｄ      軸
１４ｅ      ネクタイピン本体
１４ｆ      ネクタイピン本体
１４ｇ      カフス本体
１４ｈ      ピン
１５        ピンズ
１６        チェーン
１７        チェーン接続部
１８        止具
１９        小突起
２          装飾体
２０        雌係合部
２１        装飾部
２２        雌係合子
３          他の装飾体セット
４          生地
【図１】
0003227766.tif 000003
【図２】
0003227766.tif 000004
【図３】
0003227766.tif 000005
【図４】
0003227766.tif 000006
【図５】
0003227766.tif 000007
【図６】
0003227766.tif 000008
【図７】
0003227766.tif 000009
【図８】
0003227766.tif 000010
【図９】
0003227766.tif 000011